(57)【要約】【課題】無線データの解析をいつでも必要な時に行え、何度でもデータ解析を再現できるようにしたＣＤＭＡエアーモニターを提供する。【解決手段】ＣＤＭＡ移動体通信における基地局、移動機間の無線区間の信号を受信し、受信した信号を解析することによって通信品質の評価、通信システムの検査を行うＣＤＭＡエアーモニターであって磁気媒体を使用した大容量のストレージ装置８を備えている。ＲＦ受信部２はアンテナ４により受信した信号を増幅し且つ所定の周波数帯域に落とす。ＲＦ受信部２から出力された信号はＡＤ変換部６によりＡＤ変換及び復調される。この復調された無線データは、ＡＤ変換部６とストレージ装置８及びデータ解析部間に配置された切換部１０を通じてストレージ装置８に一旦記録される。この後、切換部１０によってストレージ装置８とデータ解析部１６，１８とが接続され、データ解析部１６，１８はオフラインでストレージ装置８に記録されている無線データを再生しその解析を行う。【選択図】　図１
2004072665.tif 000002
【特許請求の範囲】
【請求項１】
ＣＤＭＡ移動体通信における基地局、移動機間の無線区間の信号を受信し、受信した信号を解析することによって通信品質及び通信システムの検査、評価等を行うＣＤＭＡエアーモニターであって、アンテナにより受信した信号を増幅し且つ所定の周波数に落とすＲＦ受信部と、ＲＦ受信部にて変換された信号をＡＤ変換及び復調するためのＡＤ変換部と、ＡＤ変換されたデータを記録するための、磁気媒体を使用した大容量のストレージ装置と、受信したデータの解析を行うデータ解析部と、前記データ解析部の解析結果を表示する表示部と、前記ＡＤ変換部と前記ストレージ装置及びデータ解析部間に設置された切換部とを備え、一旦ストレージ装置に記録されたデータをオフラインで解析する機能を有することを特徴とするＣＤＭＡエアーモニター。
【請求項２】
前記切換部を切り換えることによって前記ＡＤ変換部と前記データ解析部を接続し、ストレージ装置を介しないオンラインにてリアルタイム解析を行う機能も有していることを特徴とする「請求項１」に記載のＣＤＭＡエアーモニター。
【発明の詳細な説明】
【０００１】
【発明の属する技術分野】
本発明はＣＤＭＡ（符号分割多重接続）移動体通信における基地局、移動機間の無線区間の信号を受信し、この受信した信号を解析することによって通信品質の評価、通信システム（基地局、端末）の検査を行うＣＤＭＡエアーモニターに関する。
【０００２】
【従来の技術】
従来、此の種のＣＤＭＡエアーモニターは、受信データを記録装置に記録することなく、ＡＤ変換部でＡＤ変換、復調されたデータを直接データ解析部に送りリアルタイムで解析処理を行っていた。
【０００３】
【発明が解決しようとする課題】
電波の状態は時間と共に変化するため最適なパラメータの設定はリアルタイム解析では不可能である。従来のリアルタイム解析方式では、解析チャネルの設定、パラメータの設定を受信開始前に行うため、設定に誤りがあると解析結果は全く意味をなさず最初からパラメータの設定、データ受信をやり直す必要があった。また、パラメータを変更して解析を行うときにも最初からデータの取り直しが必要であった。受信データの記録は信号のスピードに追従するために高速な記録装置が必要とされ、通常のハードディスクでは十分なスピードが確保できない。特にフィールドでのデータ取得後、研究室で解析を行うためには、データの保存が必要である。また、取得した無線データから時間と共に変化する各種パラメータと基本データを求める必要があり、そのためには、学習機能を備えたソフトウェアによりデータを繰り返し解析することが必要である。
またリアルタイム解析では受信と解析を同時に行うため解析できる範囲は限られており細部にわたってのきめ細かな解析ができない。
本発明は上記問題点を解決することを目的とするものである。
【０００４】
【課題を解決するための手段】
上記目的を達成するため本発明は、ＣＤＭＡ移動体通信における基地局、移動機間の無線区間の信号を受信し、受信した信号を解析することによって通信品質及び通信システムの検査、評価等を行うＣＤＭＡエアーモニターであって、アンテナにより受信した信号を増幅し且つ所定の周波数に落とすＲＦ受信部と、ＲＦ受信部にて変換された信号をＡＤ変換及び復調するためのＡＤ変換部と、ＡＤ変換されたデータを記録するための、磁気媒体を使用した大容量のストレージ装置と、受信したデータの解析を行うデータ解析部と、前記データ解析部の解析結果を表示する表示部と、前記ＡＤ変換部と前記ストレージ装置及びデータ解析部間に設置された切換部とを備え、一旦ストレージ装置に記録されたデータをオフラインで解析する機能を有することを特徴とするものである。
また本発明は、前記切換部を切り換えることによって前記ＡＤ変換部と前記データ解析部を接続し、ストレージ装置を介しないオンラインにてリアルタイム解析を行う機能も有していることを特徴とするものである。
【０００５】
【発明の実施の形態】
以下に本発明の実施の形態を添付した図面を参照して詳細に説明する。
符号２はＲＦ受信部であり、ＣＤＭＡ移動体における基地局、移動機間の無線区間のアップリンクの信号をアンテナ４で受信し、この受信した信号を増幅部で増幅するとともに、ダウンコンバート部で中間周波数にダウンコンバートする。
【０００６】
６はＡＤ変換部であり、ＲＦ受信部２から受信した無線データのＡＤ変換及び復調を行う。８は磁気媒体を用いた大容量（３２０ＧＢ）且つ高速なストレージ装置であり、最大２０分間の信号を記録することができる。当該ストレージ装置８の入出力部は、前記ＡＤ変換部６の出力側に切換部１０のスイッチ２４，２２を介して接続している。また、ストレージ装置８の入出力部は、前処理部１４に、スイッチ２４，２６を介して接続している。前記各スイッチ２４，２２，２６は、トランジスタなどのスイッチング素子を用いたスイッチング回路により構成され、オンオフコントロール部２８によってオンオフ即ち開閉制御されるように構成されている。
【０００７】
ＡＤ変換部６では、受信信号に同じ周波数の基準波をかけあわせることにより受信信号のＩＱ分離を行うが、受信信号と基準波の位相及び周波数はほぼ一致している必要がある。受信信号の周波数は受信してみないとわからないため、前処理部１４にて実際に受信した信号と基準波を比べフィードバックすることにより、基準波の周波数及び位相を受信信号に合わせる処理を行う。
【０００８】
リアルタイム解析においては、一旦予備データを受信して前処理を行った後データの取得をする必要がある。オフライン解析においてはソフトウエアでこの前処理をおこなうため、データの取得前にこの処理を行う必要がない。１６は物理チャネルデータ解析部であり、受信したデータを解析してチャネライゼーションコードとスクランブルコードを求める。（これらふたつのコードによってデータは拡散された後変調して送信されるので受信側では逆の処理を行う）チャネライゼーションコードとスクランブルコードを使って逆拡散を行い拡散前のデータに戻す。
【０００９】
１８はトランスポートチャネルデータ解析部であり、物理チャネル解析により得られた拡散前のデータに対し誤り訂正、ブロック結合等の処理を行い実際に送信時されたデータを求める。２０は解析結果表示部である。尚、データ送信時の処理では、トランスポートチャネルでもとのデータに誤り訂正符号を付加し、ブロック単位に分割し、いくつかのチャネルのデータを足し合わせた後、物理チャネルにマッピングし、拡散、変調し送信する。ダウンリンクの無線信号を扱う装置の構成も、上記アップリンク用の装置と同様に構成される。
【００１０】
上記した構成において、移動体通信における基地局、携帯電話間のアップリンクとダウンリンクのＣＤＭＡの信号をアンテナ４により受信し、この受信した信号をＲＦ受信部で増幅し、ＡＤ変換部６でＡＤ変換及び復調を行う。この無線データは切換部１０のスイッチ２２，２４を通じてストレージ装置８に、最大２０分間の無線データ信号が一旦記録される。このときスイッチ２６はオフとなっている。
【００１１】
ストレージ装置８への記録が終わった後、切換部１０のスイッチ２２がオフとされ、スイッチ２６が接続（オン）され、ストレージ装置８に記録されている無線データが順次物理解析チャネルデータ解析部１６と、トランスポートチャネルデータ解析部１８に送られる。ここでオフラインでデータの解析が随時行われる。解析されたデータは解析結果表示部２０に表示される。
【００１２】
また、切換部１０は、そのスイッチ２４をオフとし、スイッチ２２，２６をオンとして装置をオンラインモードとすることができるようにも構成されている。このオンラインモードでは、無線データをストレージ装置８を通さずにリアルタイムで解析をすることができる。ダウンリンクの無線データもアップリンク無線データも同様の原理で処理される。
【００１３】
【発明の効果】
本発明は上述の如く構成したので、無線データの解析をいつでも必要なときに行え、何度でも再現できる。また、パラメータの設定は収録後に行えるので簡単にパラメータの変更ができる。またリアルタイム解析ではできない細部にわたってのきめ細かな解析ができる等の効果がある。
【図面の簡単な説明】
【図１】本発明のブロック説明図である。
【図２】本発明の要部のブロック説明図である。
【符号の説明】
２　　　ＲＦ受信部
４　　　アンテナ
６　　　ＡＤ変換部
８　　　ストレージ装置
１０　　切換部
１４　　前処理部
１６　　物理チャネルデータ解析部
１８　　トランスポートチャネルデータ解析部
２０　　解析結果表示部
２２〜２６　スイッチ
２８　　オンオフコントロール部
【図１】
2004072665.tif 000003
【図２】
2004072665.tif 000004